(57)【特許請求の範囲】
【請求項１】
表裏二層の編地と、該二層の編地を連結する連結糸より構成された立体編地からなる通気性着物用補整パットにおいて、前記編地の少なくとも一方をメッシュ状の編地とし、その編目の少なくとも３０％から連結糸が相手側の編地の編目に向けて延び、該連結糸はＸ状に交叉した連結糸を含み、該編地の厚さが２ｍｍ〜３５ｍｍであり、かつ該立体編地を裁断後、周囲がバイアステープで覆われ縫製されていることを特徴とする通気性着物用腹部、腰部体型補整パット。
【請求項２】
前記連結糸が１５〜２０００デニールのモノフィラメントであり、かつ前記メッシュ状編地の全編目から延びていることを特徴とする請求項1記載の通気性着物用腹部、腰部体型補整パット。
【請求項３】
編地が、表裏二層の編地と該二層の編地をＸ状に交差して連結している連結糸からなることを特徴とする請求項1または２に記載の通気性着物用腹部、腰部体型補整パット。
【発明の詳細な説明】
【０００１】
【発明の属する技術分野】
本発明は、繊維糸条で立体的に構成された二重編地からなる通気性着物用腹部、腰部体型補整パットに関する。
【０００２】
【従来の技術】
着物着装時に長着、帯にシワを作らず、着崩れを防ぎ、帯の位置を安定させることを目的として用いられる体型補整用具は、その性質上、フィット感と適度なクッション性が不可欠であるので、従来は、綿やガーゼ、タオルなどが用いられてきた。また、その着脱を容易にするために開発された従来の補整パットとしては、素材として綿状の繊維を使用し、これを芯部に詰めたキルト状綿布が中心に用いられてきた。その結果、従来の補整パットは、通気性が悪く、身体からの熱を蓄積し、暑い、ムレるなどの不快感が避けられないものであった。また、夏期には、その暑さが極致に達するため、使用できず、着物着用者の美装を損ねていた。さらに、通気性不良により、汗等の水分が補整用具に蓄積し、長襦袢や長着、帯を傷める原因ともなっていた。
【０００３】
【発明が解決しようとする課題】
本発明は、前記問題点を解決し、適度な柔らかさと反撥力を有しながら、その高い通気性により、使用者に暑い、ムレるなどの不快感を与えず、着物も傷めない実用的かつ衛生的な通気性着物用腹部、腰部体型補整パットを提供することを目的とする。
【０００４】
【課題を解決するための手段】
本発明の目的は、表裏二層の編地と、該二層の編地を連結する連結糸から構成された立体編地からなる通気性着物用補整パットにおいて、前記二層の編地の少なくとも一方の編地をメッシュ状の編地とし、その編地を構成する複数の編目の少なくとも３０％から連結糸が相手側の編地に向けて延び、該連結糸はＸ状に交叉した連結糸を含んでいることを特徴とする通気性着物用腹部、腰部体型補整パットによって達成される。
【０００５】
本明細書における「メッシュ状編地」という用語は、メッシュ編地、マーキゼット編地などの複数の開口部を有する編地を意味する。本発明においては、通気性着物用補整パットに用いられる立体編地の少なくとも一方の編地をメッシュ状編地にすることが必要である。
また、本発明では、表裏二層の編地を、同一または異なる組織を有するメッシュ状編地で形成してもよい。少なくとも一方の編地をメッシュ状編地にすることにより、立体編地内に空間を確保し、その空間を介して立体編地に通気性を付与することができる。
【０００６】
前記二層の編地を連結する連結糸は、メッシュ状編地を構成する複数の編目の少なくとも３０％の編目から、相手側の編目に延びていることが必要である。前記連結糸は、二層の編地間を実質的に垂直に延びて二層の編地の間隔を保つ役割を果たすとともに、Ｘ状に交叉して配置した連結糸を含む。
【０００７】
前記連結糸は前記メッシュ状編地の編目数の３０％以上に設けることが必要である。連結糸の本数が編目数の３０％未満であると、本発明の補整パット使用時に二層の編地の間隔を保持することができなくなる恐れがある。したがって、用途によってはメッシュ状編地の全編目に対して連結糸を連結するのが好ましい。かかる観点から連結糸としては、モノフィラメントを用いるのがより好ましい。前記連結糸は表裏二層の編地中にループ状の編目を形成していてもよく、あるいは、表裏二層の編地の編目にタック組織で引掛けられていてもよい。
【０００８】
連結糸の太さは、適度な弾力性や反撥性を得るために、単糸デニールが１５〜２０００デニールのものが好ましく、さらには、５０〜３００デニールのものがより好ましい。
本発明の通気性着物用補整パット用立体編地は、二列針床を有する編地（経編地または緯編地）であって、たとえば、ダブルラッシェル機、ダブル丸編機などで作製することができ、使用する繊維の素材は、特に限定するものではなく、ポリエステル、ポリアミド、ポリアクリロニトリルなどの合成繊維や再生繊維、さらにはウール、木綿といった天然繊維のいずれであってもよい。立体編地をこのようにして構成することにより、厚さが好ましくは２mm〜３５mmであり、目付が好ましくは５０g/m2〜２．５kg/m2 である立体編地が得られる。
【０００９】
本発明の着物用補整パットは前記平板状の立体編地を所望のサイズに裁断することにより、あるいは、裁断後の編地片を縫製または熱成形で所定の形状にすることにより得られる。また、表面を通気性能力を低下させない程度の薄地のニット類で包んでもよい。
【００１０】
【発明の実施の形態】
以下、本発明の通気性着物用補整パット用立体編地の実施例を示す図面を参照しながら本発明を説明する。
【００１１】
【実施例】
実施例１
図１は本発明の通気性着物用補整パット用立体編地の一例を示すモデル図である。図１に示す通気性着物用補整パット１において、２、３はメッシュ状編地であり、連結糸４が、メッシュ状編地２の全編目から相手側のメッシュ状編地３の全編目に向けて延びている。この際、連結糸４は両メッシュ状編地２、３の編目と同様のループ編目を形成して、表裏二層の編地を連結している。
【００１２】
本実施例では、１８ゲージの二列の針列を有するダブルラッシェル機を用い、表裏二層の編地を形成する繊維糸条には１５０デニール４８フィラメントのポリエステル繊維を使用し、また、連結糸には１００デニールのポリアミドモノフィラメントを使用して、厚さ５mmの通気性着物用補整パット用立体編地を作製した。この編地は、フラジール法通気度が４００cc/cm2/s以上であり、通気性着物用補整パットに成形して使用した結果、通気性が極めて良好で、発汗、発熱時のムレ感がなく、快適なものであった。
【００１３】
実施例２
図２は、本発明の別の実施態様を示すモデル図である。図２に示す通気性着物用補整パット１１において、１２はメッシュ状編地であり、連結糸１４がメッシュ状編地１２の編目から相手側の編地１３の編目に向けて延びている。この際、連結糸１４は表裏二層の編地１２、１３の編目と同様のループ編目を形成し、表裏二層の編地を連結している。また、表のメッシュ編地１２は鎖編糸１６ａと挿入糸１５ａによって形成され、裏の編地１３は鎖編糸１６ｂと挿入糸１５ｂによって形成されている。
【００１４】
本実施例では、１８ゲージの二列の針列を有するダブルラッシェル機を用い、表の鎖編糸１６ａおよび挿入糸１５ａに、１５０デニール４８フィラメントのポリエステル加工糸を、挿入糸に３０番単糸の木綿糸を、さらに連結糸１４には、１００デニールのポリアミドモノフィラメントを使用して、厚さ５mmの通気性着物用補整パット用立体編地を作製した。
【００１５】
この立体編地の裏の編地を肌側にし、肌着として着用した結果、肌面が平編地であるため肌触りがよく、発汗時の吸汗性が非常に良好であった。また、パット内に空間が設けられており、かつ外部への通気性に優れているため、汗の蒸散性がよく、ムレ感のない快適な肌着であるとの評価であった。
【００１６】
【発明の効果】
本発明の通気性着物用補整パットは、前述のように構成されているので、人体から発生する汗（不感蒸泄）や熱がスムーズに排出され、その結果ムレ感がなく、涼しく快適なものとなる。
また、パットに水分（汗等）を蓄積させないので、着物も傷めにくくなる。
【図面の簡単な説明】
【図１】図１は、本発明の通気性着物用補整パット用立体編地を示すモデル図である。
【図２】図２は、本発明の別の通気性着物用補整パット用立体編地を示すモデル図である。
【図３】図３は、通気性着物用補整パット（鎖骨、胸部）のモデル図である。
【図４】図４は、別の通気性着物用補整パット（腹部、腰部）のモデル図である。
【符号の説明】
１、１１…通気性着物用補整パット用立体編地、２１、３１…通気性着物用補整パット、２、１２、２２…表編地、３、１３、２３…裏編地、４、１４…連結糸、１５ａ、１５ｂ…挿入糸、１６ａ、１６ｂ…鎖編糸、２４…バイヤステープ。
【図１】
0003907718.tif 000002
【図２】
0003907718.tif 000003
【図３】
0003907718.tif 000004
【図４】
0003907718.tif 000005